(57)【特許請求の範囲】
【請求項１】
左右の側板の対向面に取付けたガイドレールに沿って摺動しうる左右１対の前後摺動部材に、載置台を、左右方向を向く水平軸を介して枢着することにより、引き出された前記載置台を、前記水平軸を支点として傾動可能とし、かつ前記水平軸の前方へ引き出した前記載置台を、水平位置または傾斜位置に選択的に定位可能な前部受け材を、前記支点の前方において、前記側板に着脱可能に取付けたことを特徴とするキーボード等の支持装置。
【請求項２】
載置台の左右方向の幅を、左右１対のガイドレール付き側板間の距離よりやや短寸とし、かつ前後摺動部材を、前記載置台の下側に配設した請求項１記載のキーボード等の支持装置。
【請求項３】
前部受け材を、その上下いずれか一方に水平面を、他方に傾斜面を備えるものとし、載置台の下面が、前記水平面または傾斜面のいずれか一方を選択して支持されるように、前部受け材をガイドレール付き側板に取り付けるようにした、請求項１または２記載のキーボード等の支持装置。
【請求項４】
引き出した載置台を水平位置に保持する着脱可能な止着手段を、水平軸の後方において、前記載置台と前後摺動部材との間に設けた、請求項１〜３のいずれかに記載のキーボード等の支持装置。
【発明の詳細な説明】
【０００１】
【発明の属する技術分野】
本発明は、ＯＡ機器用ラック等におけるキーボード等の支持装置に関する。
【０００２】
【従来の技術】
ＯＡ機器用ラックにおいては、キーボードを収納し、かつ使用し易くするために、様々な技術が開発されている。その代表的なものとして、特開平10-155563号公報記載のＯＡ機器用載置棚があげられる。このＯＡ機器用載置棚では、ＯＡ機器を載置する棚板の下面に、キーボード載置台を引き出し自在に取り付けている。
【０００３】
【発明が解決しようとする課題】
この従来の構造では、棚板とキーボード載置台との間隔は常に一定であるため、使用者がその使用状況により、棚板との間隔を広げてキーボード載置台を配置することができず、またキーボード載置台を複数段、たとえば上下２段に配設することも不可能である。
【０００４】
またこのキーボード載置台は、引き出したときに、所定の角度に前傾した状態とされるので、使用者が立った状態で使用する場合は問題ないが、椅子に座った状態では、使用し難いという問題がある。
【０００５】
本発明の目的は、ＯＡ機器用ラック等において、キーボード等の載置台を、使用者が立った状態で使い易い前傾位置と、使用者が椅子に座った状態で使い易い水平位置とに選択して支持できるようにした支持装置を提供することにある。
【０００６】
【課題を解決するための手段】
本発明によると、上記課題は、次のようにして解決される。
（１）左右の側板の対向面に取付けたガイドレールに沿って摺動しうる左右１対の前後摺動部材に、載置台を、左右方向を向く水平軸を介して枢着することにより、引き出された前記載置台を、前記水平軸を支点として傾動可能とし、かつ前記水平軸の前方へ引き出した前記載置台を、水平位置または傾斜位置に選択的に定位可能な前部受け材を、前記支点の前方において、前記側板に着脱可能に取付ける。
【０００７】
（２）上記(１)項において、載置台の左右方向の幅を、左右１対のガイドレール付き側板間の距離よりやや短寸とし、かつ前後摺動部材を、前記載置台の下側に配設する。
【０００８】
（３）上記(１)または(２)項において、前部受け材を、その上下いずれか一方に水平面を、他方に傾斜面を備えるものとし、載置台の下面が、前記水平面または傾斜面のいずれか一方を選択して支持されるように、前部受け材をガイドレール付き側板に取り付ける。
【０００９】
（４）上記(１)〜(３)項のいずれかにおいて、引き出した載置台を水平位置に保持する着脱可能な止着手段を、水平軸の後方において、前記載置台と前後摺動部材との間に設ける。
【００１０】
【発明の実施の形態】
図１は、本発明の支持装置を備えるＯＡ機器用ラックの斜視図で、その前後の支柱(１)(１)間に、複数の帯板状の側板(２)が取り付けられ、かつ左右に対向する側板(２)(２)間に、ＯＡ機器を載置する棚板(３)が架設されている。
側板は、本実施形態のように、帯板状のもの以外に、支柱(１)の全高に亘る１枚の板状体からなるものであってもよい。
【００１１】
従来は、この棚板(３)の下面に、キーボード用の載置台を引き出し可能に取り付けているが、本発明においては、棚板(３)の下方において、前後の支柱(１)(１)にガイドレール付き側板(４)を別途取り付け、左右１対のガイドレール付き側板(４)(４)（但し、右方のガイドレール付き側板は図示を省略してある）間に、支持台すなわちキーボード用の載置台(５)を、引き出し可能に取り付けてある。
【００１２】
図２〜図８は、本発明のキーボード等の支持装置の一実施形態を示す。
ガイドレール付き側板(４)は、図２に示すように、内側に引き出し用の水平なガイドレール(６)を取り付けた細長い部材であって、その前後両端の上下に形成された係止爪(７)を、前後の支柱(１)(１)の内側に穿設された係止孔（図示してない）に引っかけて取り付けるようになっている。
【００１３】
キーボード用の載置台(５)は、その側面を示す図３、及び裏面を示す図４から明らかなように、上面に窪んだ載置面(８)を有し、かつ両側部の後部の下部に、前後摺動部材(９)を、左右方向を向く水平軸(10)をもって枢着してなるものである。
前後摺動部材(９)は、ガイドレール(６)にはめ込まれ、ガイドレール(６)上に沿って、摺動することにより、載置台(５)を、図６に示す後退位置まで引っ込めて格納する。
【００１４】
図５は、載置台(５)の直下において、ガイドレール付き側板(４)の前端に着脱可能に取り付けられる前部受け材(11)の側面図である。
【００１５】
前部受け材(11)は、その前部の上部に、後方へ向かう水平張り出し片(12)を有し、かつ前部の下部に、後下がりに傾斜する傾斜張り出し片(13)を有している。この実施形態の場合、これらの上下の張り出し片(12)(13)は、鋼片を折り曲げて一体的に形成されている。
上下の張り出し片(12)(13)の前端部には、ボルト状の受支具(14)が、それぞれ上下方向から取り付けられている。
【００１６】
図６は、載置台(５)が格納状態にある側面図、図７は、載置台(５)が水平位置に引き出された状態の側面図である。
【００１７】
前部受け材(11)は、その後部の上下に穿設された孔(15)に挿通した受支具(16)により、ガイドレール付き側板(４)に取り付けられるが、上部の孔(15)を利用して、ここに載置台(５)案内用のローラ(17)が取り付けられている。
【００１８】
本発明のキーボード等の支持装置の操作に当たっては、図６に示す格納状態にある載置台(５)を、その前端部を持って前方に引き出す。すると、載置台(５)の下面がローラ(17)に案内され、前後摺動部材(９)がガイドレール(６)上を前方に摺動して、図７に示す位置まで引き出される。この時、前部受け材(11)の上部の水平張り出し片(12)における受支具(14)の頭部が、載置台(５)の下面に当接し、載置台(５)は、水平状態に支持される。
【００１９】
この状態において、図３に示すように、上下の係止ボルト(18)(19)を、載置台(５)の後端部と前後摺動部材(９)との間に螺入して、両者を互いに固定すれば、載置台(５)は安定して確実に支持される。
【００２０】
載置台(５)を引き出して前傾姿勢とするには、まず図６に示す前部受け材(11)を取り外して、左右逆側の支柱(１)に付け替え、かつそれまで逆側の支柱(１)についていた前部受け材(11)を、取り外した側の支柱に付け替える。
このようにすれば、図８に示すように、傾斜張り出し片(13)が上にきて、前下がりの傾斜となる。
この状態で、載置台(５)を引き出すと、載置台(５)は水平軸(10)を中心として下向回動し、傾斜張り出し片(13)の受支具(14)の頭部により受けられて、図８に示す前下がりの状態となる。
【００２１】
図９は、前部受け材(11)の別の実施形態を示す側面図である。
この前部受け材(11)は、上部に水平張り出し片(12)、左右及び下部に、それぞれ傾斜角度の異なる傾斜張り出し片(13)を有している。
前部受け材(11)をガイドレール付き側板(４)に取り付ける際に、９０度回転させて取り付ける毎に、水平及び３通りの傾斜角度が得られ、所望とする載置台(５)の水平または傾斜の角度に応じて選ぶことができる。
ガイドレール付き側板(４)に前部受け材(11)を取り付けるには、ガイドレール付き側板(４)に予め４個の受支具用孔を穿設しておき、このうち３個を選んで前部受け材(11)の孔(15)に挿通した受支具により取り付けれればよい。
なお、この場合は、載置台(５)案内用のローラ(17)は、他の受支具を用いて取り付けられる。
【００２２】
【発明の効果】
本発明によると、次のような効果を奏することができる。
請求項１記載の発明によれば、引き出し可能な載置台を、水平位置と前傾位置との２通りの使用状態を、簡単な作業により選択することができる。
また、載置台を左右１対のガイドレール付き側板部材に取り付けるので、棚板の下面に取り付ける場合よりも、取り付け位置に制限が少なく、たとえば２段で使用することも可能である。
【００２３】
請求項２記載の発明によれば、棚板の下面に取り付ける場合よりも、寸法的に有利である。
【００２４】
請求項３記載の発明によれば、前部受け材を１種類だけとし、左右の前部受け材を互いに交換するだけで、水平位置、前傾位置を選択することができ、部品点数を少なくして、コストダウンを図ることができる。
【００２５】
請求項４記載の発明によれば、載置台の水平位置での固定を確実なものとすることができる。
【図面の簡単な説明】
【図１】本発明のキーボード引き出し装置を備えるＯＡ機器用ラックの斜視図である。
【図２】本発明のキーボード引き出し装置の一実施例のガイドレール付き側板の側面図である。
【図３】同じく、キーボード載置台と、その前後摺動部材の側面図である。
【図４】同じく、キーボード載置台と、その前後摺動部材の裏面図である。
【図５】同じく、前部受け材の側面図である。
【図６】後退位置にある載置台を示す側面図である。
【図７】水平位置に引き出した載置台を示す側面図である。
【図８】前傾位置に引き出した載置台を示す側面図である。
【図９】前部受け材の別の実施形態を示す側面図である。
【符号の説明】
(１)支柱
(２)側板
(３)棚板
(４)ガイドレール付き側板
(５)載置台
(６)ガイドレール
(７)係止爪
(８)載置面
(９)前後摺動部材
(10)水平軸
(11)前部受け材
(12)水平張り出し片
(13)傾斜張り出し片
(14)受支具
(15)孔
(16)ボルト
(17)ローラ
(18)(19)係止ボルト
【図１】
0004414528.tif 000002
【図２】
0004414528.tif 000003
【図３】
0004414528.tif 000004
【図４】
0004414528.tif 000005
【図５】
0004414528.tif 000006
【図６】
0004414528.tif 000007
【図７】
0004414528.tif 000008
【図８】
0004414528.tif 000009
【図９】
0004414528.tif 000010